(57)【要約】【課題】隣合う足趾を離間させる方向に付勢して拡開させて、外反母趾又は内反小趾などの足趾の変形に対する症状の改善に寄与する靴下及び靴下の製造方法を提供することを目的とする。【解決手段】靴下Ｓ１は、伸縮性のある素材で、略円筒形状に形成され、足を入れる履き口１、つま先を被覆するつま先部２、及び踵を被覆する踵部３を備える。つま先部２は、母趾Ｆ１が収容される母趾収容部２０と、母趾Ｆ１以外の足趾（第２趾Ｆ２、第３趾Ｆ３、第４趾Ｆ４及び第５趾Ｆ５）が収容される足趾収容部２１が設けられている。【選択図】図１
2020090753.tif 000002
【特許請求の範囲】
【請求項１】
母趾が収容される母趾収容部と、
該母趾収容部の近傍に設けられ、前記母趾以外の足趾が収容される足趾収容部と、
前記母趾収容部の前記足趾収容部側に位置する母趾収容部縁と、同足趾収容部の同母趾収容部側に位置する足趾収容部縁と、前記母趾収容部縁と前記足趾収容部縁との連続した部分である股部において、該股部から、少なくとも前記母趾収容部縁及び前記足趾収容部縁の同股部近傍の一部にかけて、縫い代を切れ端側から縫い目側へ丸めて縫合された付勢部とを備える
靴下。
【請求項２】
前記母趾収容部の先端から前記股部までが２．５〜３．５ｃｍの長さに形成された
請求項１に記載の靴下。
【請求項３】
未着用の状態で、前記母趾収容部縁と前記足趾収容部縁のそれぞれの中央の離間幅は、１．０〜２．０ｃｍである
請求項１または請求項２に記載の靴下。
【請求項４】
母趾が収容される母趾収容部と、
該母趾収容部の近傍に設けられ、第２趾が収容される第２趾収容部と、
該第２趾収容部の近傍に設けられ、第３趾が収容される第３趾収容部と、
該第３趾収容部の近傍に設けられ、第４趾が収容される第４趾収容部と、
該第４趾収容部の近傍に設けられ、第５趾が収容される第５趾収容部と、
前記母趾収容部乃至前記第５趾収容部の、隣り合う収容部の互いに対向する位置にある両縁及び該両縁の連続した部分である股部において、該股部から、少なくとも同両縁の同股部近傍の一部にかけて、縫い代を切れ端側から縫い目側へ丸めて縫合された、少なくとも一つの付勢部とを備える
靴下。
【請求項５】
生地を円筒形に形成する編立て工程と、
該編立て工程により形成された円筒形状の生地体の、母趾が収容される母趾収容部形成領域と、前記母趾以外の足趾が収容される足趾収容部形成領域の間を裁断する裁断工程と、
該裁断工程により形成された切込みに沿って、前記母趾収容部形成領域と前記足趾収容部形成領域の先端部分、及び同母趾収容部形成領域の同足趾収容部形成領域側の縁領域、同足趾収容部形成領域の同母趾収容部形成領域側の縁領域及び両縁領域の連続した部分である股領域を裁ち目かがり縫いで縫製して母趾収容部及び足趾収容部を形成する母趾収容部及び足趾収容部形成工程と、
該母趾収容部及び足趾収容部形成工程で縫製された前記股領域、及び同股領域から、少なくとも前記母趾収容部形成領域の足趾収容部形成領域側の縁領域及び前記足趾収容部形成領域の同母趾収容部形成領域側の縁領域の同股領域近傍の一部にかけて、縫い代を切れ端側から縫い目側へ丸めて縫合して、同母趾収容部及び足趾収容部形成工程の裁ち目かがり縫いの縫い目の幅よりも狭い縫い目で、裁ち目かがり縫いで縫製して付勢部を形成する付勢部形成工程とを備える
靴下の製造方法。
【請求項６】
生地を円筒形に形成する編立て工程と、
該編立て工程により形成された円筒形状の生地体の、母趾が収容される母趾収容部形成領域と第２趾が収容される第２趾収容部形成領域との間、該第２趾収容部形成領域と第３趾が収容される第３趾収容部形成領域との間、該第３趾収容部形成領域と第４趾が収容される第４趾収容部形成領域との間、該第４趾収容部形成領域と第５趾が収容される第５趾収容部形成領域との間を裁断する裁断工程と、
該裁断工程により形成された切込みに沿って、前記母趾収容部形成領域乃至前記第５趾収容部形成領域の先端部分、同母趾収容部形成領域乃至前記第５趾収容部形成領域のうち隣り合う収容部形成領域の互いに対向する位置にある両縁領域及び該両縁領域の連続した部分である股領域を裁ち目かがり縫いで縫合して足趾収容部を形成する足趾収容部形成工程と、
該足趾収容部形成工程で縫合された前記股領域、及び同股領域から、少なくとも前記両縁領域の同股領域近傍の一部にかけて、縫い代を切れ端側から縫い目側へ丸めて縫合して、同足趾収容部形成工程の裁ち目かがり縫いの縫い目の幅よりも狭い縫い目で、裁ち目かがり縫いで縫合して、少なくとも一つの付勢部を形成する付勢部形成工程とを備える
靴下の製造方法。
【発明の詳細な説明】
【技術分野】
【０００１】
本発明は靴下及び靴下の製造方法に関する。詳しくは、隣合う足趾を離間させる方向に付勢して拡開させて、外反母趾又は内反小趾などの足趾の変形に対する症状の改善に寄与する靴下及び靴下の製造方法に係るものである。
【背景技術】
【０００２】
生活様式の西洋化に伴い、長時間にわたって靴を履いて生活するため、足趾が常時圧迫されることで変形し痛みを感じる場合があり、さらに症状が進むと、外反母趾となってしまうことがある。なお、外反母趾とは、母趾が変形して身体の中心から外側（第５趾側）に曲がることをいい、内反母趾とは、第５趾が変形して身体の中心から内側（母趾側）に曲がることをいう。
【０００３】
外反母趾及び内反小趾の原因は、一般的には足に適合していない靴を履くことで足全体が締め付けられ、足を支えるアーチ構造（特に横アーチ）が崩れることが原因とされている。
【０００４】
外反母趾及び内反小趾の治療方法としては、例えば、外反母趾及び内反小趾治療用の靴などの着用や、足指を矯正するサポーターの装着、或いは運動により足裏の筋肉を鍛えることが挙げられる。特にサポーターは、テーピングに不慣れな場合であっても、装着するだけでテーピングと同様の効果が得られるので、便利である。
【０００５】
このように、足に装着するだけで、外反母趾及び内反小趾の足趾の変形の防止、或いは矯正に寄与できるものとして、特許文献１に開示されている、母趾と第２趾の間に、外反母趾防止材を充填した袋部を設けた「外反母趾防止用靴下」が提案されている。これにより、母趾と第２趾との間に位置する防止材が履用中において殆ど揺動することがなく、母趾と第２趾を密着させずに、外反母趾防止機能を発揮することができる。
【０００６】
また、特許文献２に示すように、第１中足骨と第５中足骨を周回して設けられた、弾性力を有する緊締部と、母趾と第２趾を拡開させる圧迫部とを備える「外反母趾矯正用具」が提案されている。これにより、上方且つ第２趾側に曲がった母趾を外側へと広げながら足裏側へと引き寄せ、かつ第５趾も外側へと広げることができる。
【先行技術文献】
【特許文献】
【０００７】
【特許文献１】特許第３０９９１９２号公報
【特許文献２】特開２０１３−２３０３１６号公報
【発明の概要】
【発明が解決しようとする課題】
【０００８】
しかしながら、特許文献１に記載する外反母趾防止用靴下では、母趾の第２趾の間に充填される外反母趾防止材は布材又はゴム材、ウレタン材とする構成が開示されているが、いずれの素材であっても着用中は違和感があるだけではなく、外反母趾防止材のサイズによっては、母趾と第２趾が大きく拡開されるため痛みを感じることも考えられる。
【０００９】
また、特許文献２に記載する外反母趾矯正用具では、着用時のズレなどにより緊締部が第１中足骨及び第５中足骨を充分に締めることができないことも考えられ、その場合には、母趾と第２趾を充分に拡開することができず、外反母趾の予防効果を充分に得ることができない。
【００１０】
本発明は以上の点に鑑みて創案されたものであり、隣合う足趾を離間させる方向に付勢して拡開させて、外反母趾又は内反小趾などの足趾の変形に対する症状の改善に寄与する靴下及び靴下の製造方法を提供することを目的とする。
【課題を解決するための手段】
【００１１】
上記課題を解決するために、本発明の靴下は、母趾が収容される母趾収容部と、該母趾収容部の近傍に設けられ、前記母趾以外の足趾が収容される足趾収容部と、前記母趾収容部の前記足趾収容部側に位置する母趾収容部縁と、同足趾収容部の同母趾収容部側に位置する足趾収容部縁と、前記母趾収容部縁と前記足趾収容部縁との連続した部分である股部において、該股部から、少なくとも前記母趾収容部縁及び前記足趾収容部縁の同股部近傍の一部にかけて、縫い代を切れ端側から縫い目側へ丸めて縫合された付勢部とを備える。
【００１２】
ここで、母趾が収容される母趾収容部と、母趾収容部の近傍に設けられ、母趾以外の足趾が収容される足趾収容部によって、母趾と母趾以外の足趾とに分けてそれぞれに収容することができる。
【００１３】
また、母趾収容部の足趾収容部側に位置する母趾収容部縁と、足趾収容部の母趾収容部側に位置する足趾収容部縁と、母趾収容部縁と足趾収容部縁との連続した部分である股部において、股部から、少なくとも母趾収容部縁及び足趾収容部縁の股部近傍の一部にかけて付勢部を備えることによって、母趾と第２趾の間の股部分に付勢部を当接させることができる。
【００１４】
また、縫い代を切れ端側から縫い目側へ縫合された付勢部によって、縫い代を利用することで容易に付勢部を形成することができる。
【００１５】
また、縫い代を丸めて縫合された付勢部によって、付勢部に厚みを持たせることができ、母趾と足趾を離間させる方向に付勢する力を面領域で母趾及び母趾と隣り合う足趾に加えることができるので、母趾と第２趾を拡開させることができる。その結果として、外反母趾の改善が期待される。
【００１６】
また、縫い代を切れ端側から縫い目側へ丸めて縫合された付勢部によって、母趾収容部と足趾収容部を離間させる方向に付勢し、母趾収容部内の母趾と足趾収容部内の第２趾とを拡開させることができる。
【００１７】
また、母趾収容部の先端から股部までが２．５〜３．５ｃｍの長さに形成された場合には、通常の靴下よりも長いことから、つま先付近から母趾と第２趾の股までの長さに個人差があっても、母趾と第２趾の股に付勢部を当てることができる。
【００１８】
また、母趾収容部の先端から股部までを２．５ｃｍ未満の長さにした場合には、着用者のつま先付近から母趾と第２趾の股までの長さが通常よりも長い場合には、母趾と第２趾の途中に付勢部が位置してしまい、母趾と第２趾の股に付勢部を当てることができないため、付勢部による母趾と第２趾とを離間させる方向に付勢させる力を充分に受けることができず、母趾と第２趾を拡開させることが困難になる。
【００１９】
また、母趾収容部の先端から股部までを３．５ｃｍを超える長さにした場合には、着用者のつま先付近から母趾と第２趾の股までの長さが通常よりも短い場合には、母趾や第２趾が母趾収容部や足趾収容部内で移動してしまい、母趾と第２趾の股に付勢部を確実に当てることができないため、付勢部による母趾と第２趾とを離間させる方向に付勢させる力を充分に受けることができず、母趾と第２趾を拡開させることが困難になる。
【００２０】
また、未着用の状態で、母趾収容部縁と足趾収容部縁のそれぞれの中央の離間幅が、１．０〜２．０ｃｍである場合には、通常の靴下を着用するよりも母趾収容部と足趾収容部を離間する方向に力が働くことにより、母趾と第２趾を拡開させやすくなる。
【００２１】
また、母趾収容部縁と足趾収容部縁のそれぞれの中央の離間幅が、１．０ｃｍ未満である場合には、母趾と足趾を離間させる方向に付勢させる力が充分に働かないため、母趾と第２趾を拡開させることが困難になる。
【００２２】
また、母趾収容部縁と足趾収容部縁のそれぞれの中央の離間幅が、２．０ｃｍを超える場合には、母趾収容部と足趾収容部が離れて設けられているため、履きにくさを感じる。
【００２３】
また、上記の目的を達成するために、本発明の靴下は、母趾が収容される母趾収容部と、該母趾収容部の近傍に設けられ、第２趾が収容される第２趾収容部と、該第２趾収容部の近傍に設けられ、第３趾が収容される第３趾収容部と、該第３趾収容部の近傍に設けられ、第４趾が収容される第４趾収容部と、該第４趾収容部の近傍に設けられ、第５趾が収容される第５趾収容部と、前記母趾収容部乃至前記第５趾収容部の、隣り合う収容部の互いに対向する位置にある両縁及び該両縁の連続した部分である股部において、該股部から、少なくとも同両縁の同股部近傍の一部にかけて、縫い代を切れ端側から縫い目側へ丸めて縫合された、少なくとも一つの付勢部とを備える。
【００２４】
ここで、母趾が収容される母趾収容部と、母趾収容部の近傍に設けられ、第２趾が収容される第２趾収容部と、第２趾収容部の近傍に設けられ、第３趾が収容される第３趾収容部と、第３趾収容部の近傍に設けられ、第４趾が収容される第４趾収容部と、第４趾収容部の近傍に設けられ、第５趾が収容される第５趾収容部とによって、５本の足趾をそれぞれ別個に収容することができる。
【００２５】
また、母趾収容部乃至第５趾収容部の、隣り合う収容部の互いに対向する位置にある両縁及び両縁の連続した部分である股部において、股部から、少なくとも両縁の股部寄りの一部にかけて、付勢部を備えることによって、足趾の股部分に付勢部を当接させることができる。
【００２６】
また、縫い代を切れ端側から縫い目側へ縫合された付勢部によって、縫い代を利用することで容易に付勢部を形成することができる。
【００２７】
また、縫い代を丸めて縫合された付勢部によって、付勢部に厚みを持たせることができ、母趾と足趾を離間させる方向に付勢する力を面領域で隣り合う足趾間の股部分に加えることができるので、隣り合う足趾を拡開させることができる。その結果として、外反母趾や内反小趾などの足趾の変形の改善が期待される。
【００２８】
また、縫い代を切れ端側から縫い目側へ丸めて縫合された付勢部によって、母趾収容部と足趾収容部を離間させる方向に付勢し、母趾収容部内の母趾と、足趾収容部内の第２趾とを拡開させることができる。
【００２９】
また、上記の目的を達成するために、本発明の靴下の製造方法は、生地を円筒形に形成する編立て工程と、該編立て工程により形成された円筒形状の生地体の、母趾が収容される母趾収容部形成領域と、前記母趾以外の足趾が収容される足趾収容部形成領域の間を裁断する裁断工程と、該裁断工程により形成された切込みに沿って、前記母趾収容部形成領域と前記足趾収容部形成領域の先端部分、及び同母趾収容部形成領域の同足趾収容部形成領域側の縁領域、同足趾収容部形成領域の同母趾収容部形成領域側の縁領域及び両縁領域の連続した部分である股領域を裁ち目かがり縫いで縫製して母趾収容部及び足趾収容部を形成する母趾収容部及び足趾収容部形成工程と、該母趾収容部及び足趾収容部形成工程で縫製された前記股領域、及び同股領域から、少なくとも前記母趾収容部形成領域の足趾収容部形成領域側の縁領域及び前記足趾収容部形成領域の同母趾収容部形成領域側の縁領域の同股領域近傍の一部にかけて、縫い代を切れ端側から縫い目側へ丸めて縫合して、同母趾収容部及び足趾収容部形成工程の裁ち目かがり縫いの縫い目の幅よりも狭い縫い目で、裁ち目かがり縫いで縫製して付勢部を形成する付勢部形成工程とを備える。
【００３０】
ここで、生地を円筒形に形成する編立て工程によって、履き口からつま先までの靴下の本体を形成することができる。
【００３１】
また、編立て工程により形成された円筒形状の生地体の、母趾が収容される母趾収容部形成領域と、前記母趾以外の足趾が収容される足趾収容部形成領域の間を裁断する裁断工程によって、生地体に母趾が収容される母趾収容部形成領域と、母趾以外の足趾が収容される足趾収容部形成領域に分けることができる。
【００３２】
また、裁断工程により形成された切込みに沿って、母趾収容部形成領域と足趾収容部形成領域の先端部分、及び母趾収容部形成領域の足趾収容部形成領域側の縁領域、足趾収容部形成領域の母趾収容部形成領域側の縁領域及び両縁領域の連続した部分である股領域を縫製して母趾収容部及び足趾収容部を形成する母趾収容部及び足趾収容部形成工程によって、母趾を収容する母趾収容部及び母趾以外の足趾を収容する足趾収容部を形成することができる。
【００３３】
また、裁ち目かがり縫いで縫製して母趾収容部及び足趾収容部を形成する母趾収容部及び足趾収容部形成工程によって、縫い代のほつれを抑止することができる。
【００３４】
また、母趾収容部及び足趾収容部形成工程で縫製された股領域、及び股領域から、少なくとも母趾収容部形成領域の足趾収容部形成領域側の縁領域及び足趾収容部形成領域の母趾収容部形成領域側の縁領域の股領域近傍の一部にかけて、付勢部を形成する付勢部形成工程によって、母趾と第２趾間の股部分に付勢部を当接させることができる。
【００３５】
また、縫い代を切れ端側から縫い目側へ縫合された付勢部を形成する付勢部形成工程によって、縫い代を利用することで容易に付勢部を形成することができる。
【００３６】
また、縫い代を丸めて縫合された付勢部を形成する付勢部形成工程によって、付勢部に厚みを持たせることができ、母趾と足趾を離間させる方向に付勢する力を面領域で母趾及び母趾と隣り合う足趾に加えることができるので、母趾収容部形成領域と足趾収容部形成領域を離間させる方向に付勢し、母趾と第２趾を拡開させることができる。そして、その結果として、外反母趾や内反小趾などの足趾の変形の改善が期待される。
【００３７】
また、縫い代を切れ端側から縫い目側へ丸めて縫合された付勢部によって、母趾収容部と足趾収容部を離間させる方向に付勢し、母趾収容部内の母趾と、足趾収容部内の第２趾とを拡開させることができる。
【００３８】
また、母趾収容部及び足趾収容部形成工程の裁ち目かがり縫いの縫い目の幅よりも狭い縫い目で、裁ち目かがり縫いで縫製して付勢部を形成する付勢部形成工程によって、付勢部を裁ち目かがり縫いで縫合した縁領域を、さらに狭い縫い目で裁ち目かがり縫いで縫合することで股部に母趾と第２趾を離間させる方向に付勢する力を生じさせる付勢部を形成し、母趾と第２趾を拡開させることができる。そして、その結果として、外反母趾や内反小趾などの足趾の変形の改善が期待される。
【００３９】
なお、付勢部形成工程を母趾収容部及び足趾収容部形成工程よりも先に行う製造方法も考えられる。しかし、先に付勢部を形成すると、付勢部の縁領域のみに裁ち目かがり縫いを行い、そしてこの縁領域にさらに狭い縫い目で裁ち目かがり縫いを行った後、再度先端部分に裁ち目かがり縫いを行う必要があり、作業工程が増えてしまう。よって、先に母趾収容部及び足趾収容部形成工程を行う方が好ましい。
【００４０】
また、上記の目的を達成するために、本発明の靴下の製造方法は、生地を円筒形に形成する編立て工程と、該編立て工程により形成された円筒形状の生地体の、母趾が収容される母趾収容部形成領域と第２趾が収容される第２趾収容部形成領域との間、該第２趾収容部形成領域と第３趾が収容される第３趾収容部形成領域との間、該第３趾収容部形成領域と第４趾が収容される第４趾収容部形成領域との間、該第４趾収容部形成領域と第５趾が収容される第５趾収容部形成領域との間を裁断する裁断工程と、該裁断工程により形成された切込みに沿って、前記母趾収容部形成領域乃至前記第５趾収容部形成領域の先端部分、同母趾収容部形成領域乃至前記第５趾収容部形成領域のうち隣り合う収容部形成領域の互いに対向する位置にある両縁領域及び該両縁領域の連続した部分である股領域を裁ち目かがり縫いで縫合して足趾収容部を形成する足趾収容部形成工程と、該足趾収容部形成工程で縫合された前記股領域、及び同股領域から、少なくとも前記両縁領域の同股領域近傍の一部にかけて、縫い代を切れ端側から縫い目側へ丸めて縫合して、同足趾収容部形成工程の裁ち目かがり縫いの縫い目の幅よりも狭い縫い目で、裁ち目かがり縫いで縫合して、少なくとも一つの付勢部を形成する付勢部形成工程とを備える。
【００４１】
ここで、生地を円筒形に形成する編立て工程によって、履き口からつま先までの靴下の本体を形成することができる。
【００４２】
また、編立て工程により形成された円筒形状の生地体の、母趾が収容される母趾収容部形成領域と第２趾が収容される第２趾収容部形成領域との間、第２趾収容部形成領域と第３趾が収容される第３趾収容部形成領域との間、第３趾収容部形成領域と第４趾が収容される第４趾収容部形成領域との間、第４趾収容部形成領域と第５趾が収容される第５趾収容部形成領域との間を裁断する裁断工程によって、生地体を、母趾が収容される母趾収容部形成領域乃至第５趾収容部形成領域に分離することができる。
【００４３】
また、裁断工程により形成された切込みに沿って、母趾収容部形成領域乃至第５趾収容部形成領域の先端部分、母趾収容部形成領域乃至第５趾収容部形成領域のうち隣り合う収容部形成領域の互いに対向する位置にある両縁領域及び両縁領域の連続した部分である股領域を縫合して足趾収容部を形成する足趾収容部形成工程によって、各足趾を収容する足趾収容部を形成することができる。
【００４４】
また、裁ち目かがり縫いで縫製して足趾収容部を形成する足趾収容部形成工程によって、縫い代のほつれを抑止することができる。
【００４５】
また、足趾収容部形成工程で縫製された股領域、及び股領域から、少なくとも両縁領域の股領域近傍の一部にかけて、少なくとも一つの付勢部を形成する付勢部形成工程によって、各足趾間のいずれかの股部分に付勢部を当接させることができる。
【００４６】
また、縫い代を切れ端側から縫い目側へ縫合された付勢部を形成する付勢部形成工程によって、縫い代を利用することで容易に付勢部を形成することができる。
【００４７】
また、縫い代を丸めて縫合された付勢部を形成する付勢部形成工程によって、付勢部に厚みを持たせることができ、母趾と足趾を離間させる方向に付勢する力を面領域で母趾及び母趾と隣り合う足趾に加えることができるので、母趾収容部形成領域と足趾収容部形成領域を離間させる方向に付勢し、隣り合う各足趾を拡開させることができる。これにより、外反母趾や内反小趾などの足趾の変形の改善が期待される。
【００４８】
また、縫い代を切れ端側から縫い目側へ丸めて縫合された付勢部によって、各足趾収容部を互いに離間させる方向に付勢し、各足趾収容部内の足趾を拡開させることができる。
【００４９】
また、足趾収容部形成工程の裁ち目かがり縫いの縫い目の幅よりも狭い縫い目で、裁ち目かがり縫いで縫製して付勢部を形成する付勢部形成工程によって、足趾収容部形成工程において付勢部を裁ち目かがり縫いで縫合した縁領域を、さらに狭い縫い目で裁ち目かがり縫いで縫合することで、各股領域で各足趾を離間させる方向に付勢する力を生じさせる付勢部を形成し、隣り合う各足趾を拡開させることができる。また、外反母趾や内反小趾などの足趾の変形の改善が期待される。
【００５０】
なお、付勢部形成工程を足趾収容部形成工程よりも先に行う製造方法も考えられる。しかし、先に付勢部を形成すると、付勢部の縁領域のみに裁ち目かがり縫いを行い、そしてこの縁領域にさらに狭い縫い目で裁ち目かがり縫いを行った後、再度先端部分に裁ち目かがり縫いを行う必要があり、作業工程が増えてしまう。よって、先に足趾収容部形成工程を行う方が好ましい。
【発明の効果】
【００５１】
本発明に係る靴下及び靴下の製造方法は、隣合う足趾を離間させる方向に付勢して拡開させて、外反母趾又は内反小趾などの足趾の変形に対する症状の改善に寄与することが可能なものとなっている。
【図面の簡単な説明】
【００５２】
【図１】本発明に係る靴下の第１の実施の形態を示す、靴下の斜視説明図である。
【図２】図１に示す靴下のつま先部を表した拡大説明図である。
【図３】図１に示す靴下の付勢部の裏面を示す説明図である。
【図４】本発明に係る靴下の第２の実施の形態を示す、靴下の一部正面図である。
【図５】本発明に係る靴下の製造工程のフローチャートである。
【発明を実施するための形態】
【００５３】
〔第１の実施の形態〕
以下、本発明の靴下の第１の実施の形態について図１乃至図３を参照しながら説明し、本発明の理解に供する。
【００５４】
靴下Ｓ１は、図１に示すように、伸縮性のある素材で、略円筒形状に形成され、足を入れる履き口１、つま先を被覆するつま先部２、及び踵を被覆する踵部３を備える。なお、靴下Ｓ１は、左右対で使用するものであるが、本実施例においては、右脚用の靴下について説明する。
【００５５】
また、つま先部２から踵部３までの長さは約１５ｃｍであり、長さ方向に約２ｃｍ引延ばすことができる。また、幅方向の長さは約７．５ｃｍであり、幅方向に約１ｃｍ引き延ばすことができる。なお、靴下は、必ずしもこの大きさに限られるものではなく、適宜設定することができる。
【００５６】
つま先部２は、母趾Ｆ１が収容される母趾収容部２０と、母趾Ｆ１以外の足趾（第２趾Ｆ２、第３趾Ｆ３、第４趾Ｆ４及び第５趾Ｆ５）が収容される足趾収容部２１が設けられている。これにより、着用者は靴下Ｓ１を、足袋を履くようにして着用することができる。
【００５７】
また、母趾収容部２０と足趾収容部２１の間には、図２に示すように、母趾収容部２０の足趾収容部２１側に位置する母趾収容部縁２２ａと、足趾収容部２１の母趾収容部２０側に位置する足趾収容部縁２２ｂと、母趾収容部２０と足趾収容部２１との連続した部分である股部２２ｃから成る付勢部２２が設けられている。
【００５８】
付勢部２２は、母趾収容部縁２２ａ、股部２２ｃ及び足趾収容部縁２２ｂの縫い代２２ｄを、縫い目が約２ｍｍの裁ち目かがり縫いにより縫合する。これにより、縫い代２２ｄがほつれを防止することができる。
【００５９】
その後、股部２２ｃから足趾収容部縁２２ｂ及び母趾収容部縁２２ａの股部２２ｃ寄りの一部にかけて、縫い代２２ｄを切れ端側から縫い目側へ丸めて縫い目が約１ｍｍの狭い裁ち目かがり縫いにより縫合して形成される。これにより、股部２２ｃ及びその周辺に、母趾及び第２趾を離間させる方向に付勢する力が生じ、母趾Ｆ１及び第２趾Ｆ２が拡開される。その結果、母趾Ｆ１が外反母趾であった場合には症状の改善が期待される。
【００６０】
なお、裁ち目かがり縫いの縫い目幅は、上記の幅に限定されるものではなく、適宜設定することができる。また、縫い代２２ｄの縫合は裁ち目かがり縫いに限られず、付勢部２２に母趾及び第２趾を離間させる方向に付勢する力を持たせることができれば、その他の縫い方で縫合することもできる。
【００６１】
この時、図３に示すように、縫い代２２ｄを切れ端側から縫い目側へ丸めて縫い目が約１ｍｍの狭い裁ち目かがり縫いにより縫合することで、股部２２ｃに母趾Ｆ１と第２趾Ｆ２を拡開する方向へ付勢する力が働くので、母趾Ｆ１と第２趾Ｆ２を拡開させることができる。また、その結果として、母趾Ｆ１が外反母趾であった場合には症状の改善が期待される。
【００６２】
また、母趾収容部縁２２ａのつま先側から股部２２ｃの長さは約３．０ｃｍに形成されており、通常よりも長く設けられている。このため、つま先付近から母趾Ｆ１と第２趾Ｆ２の股までの長さに個人差があっても、母趾Ｆ１と第２趾Ｆ２の間に股部２２ｃを確実に当てることができる。
【００６３】
また、母趾収容部縁２２ａと足趾収容部縁２２ｂの中央付近の離間幅は約１．５ｃｍに形成されており、通常よりも離間して設けられている。このため、通常の靴下を着用するよりも母趾収容部２０と足趾収容部２１を離間する方向に力が働くことにより、母趾Ｆ１と第２趾Ｆ２を拡開させることができる。また、その結果として、母趾Ｆ１が外反母趾であった場合には症状の改善が期待される。
【００６４】
また、通常靴を履いた場合には母趾Ｆ１と第２趾Ｆ２は圧迫されて接近するが、より強く圧迫されると、母趾Ｆ１が第２趾Ｆ２に異常に接近し圧着される。また、圧迫する力が大きければ、母趾Ｆ１が靴を履く前の位置から大きくずれて第２趾Ｆ２にかぶさる場合もある。これがいわゆる外反母趾の原因である。
【００６５】
ここで、靴下Ｓ１を着用して靴を履くことで、靴の中での母趾Ｆ１と第２趾Ｆ２の間に付勢部２２が位置することになり、母趾Ｆ１が靴の内面から圧迫されることで母趾Ｆ１と第２趾Ｆ２が異常に接近することを抑制することができる。即ち、付勢部２２が、母趾Ｆ１と第２趾Ｆ２の間に介在することで、母趾Ｆ１と第２趾Ｆ２が圧着することを抑制することができる。
【００６６】
また、付勢部２２は生地を丸めて縫合したものであり充分な弾性を持っているので、母趾Ｆ１と第２趾Ｆ２が強く圧迫されたとしても、付勢部２２によって母趾Ｆ１と第２趾Ｆ２が傷つけられることはない。
〔第２の実施の形態〕
以下、本発明の靴下の第２の実施の形態について図４を参照しながら説明し、本発明の理解に供する。なお、靴下Ｓ１と同一の部分については、同一の符号を付す。
【００６７】
靴下Ｓ２は、図１に示すように、伸縮性のある素材で、略円筒形状に形成され、足を入れる履き口１、つま先を被覆するつま先部２、及び踵を被覆する踵部３を備える。なお、靴下Ｓ２は、左右対で使用するものであるが、本実施例においては、右脚用の靴下について説明する。また、靴下Ｓ２の大きさについては、靴下Ｓ１と同様である。
【００６８】
つま先部２は、母趾Ｆ１が収容される母趾収容部２０と、第２趾Ｆ２が収容される第２趾収容部２１ａ、第３趾Ｆ３が収容される第３趾収容部２１ｂ、第４趾Ｆ４が収容される第４趾収容部２１ｃ、第５趾Ｆ５が収容される第５趾収容部２１ｄが設けられている。これにより、着用者は、母趾Ｆ１、及び第２趾Ｆ２乃至第５趾Ｆ５をそれぞれ収容部に収容させて着用することができる。
【００６９】
また、靴下Ｓ２の第４趾収容部２１ｃと第５趾収容部２１ｄの間には、図４に示すように、第４趾収容部２１ｃの第５趾収容部２１ｄ側に位置する第４趾収容部縁２３ａと、第５趾収容部２１ｄの第４趾収容部２１ｃ側に位置する第５趾収容部縁２３ｂと、第４趾収容部２１ｃと第５趾収容部２１ｄとの連続した部分である股部２３ｃから成る付勢部２３が設けられている。
【００７０】
付勢部２３は、第４趾収容部縁２３ａ、股部２３ｃ及び第５趾収容部縁２３ｂの縫い代２３ｄを、縫い目が約２ｍｍの裁ち目かがり縫いにより縫合する。その後、股部２３ｃから第４趾収容部縁２３ａ及び第５趾収容部縁２３ｂの股部２３ｃ寄りの一部にかけて、縫い代２３ｄを切れ端側から縫い目側へ丸めて縫い目が約１ｍｍの狭い裁ち目かがり縫いにより縫合して形成される。
【００７１】
この時、縫い代を切れ端側から縫い目側へ丸めて縫合することで、股部２３ｃに第４趾Ｆ４と第５趾Ｆ５を拡開する方向へ付勢する力が働くので、第４趾Ｆ４と第５趾Ｆ５を拡開させることができる。また、その結果として、例えば第５趾が内反小趾であった場合には症状の改善が期待される。
【００７２】
なお、第１の実施の形態では母趾収容部２０と足趾収容部２１の股部に付勢部２２を設け、第２の実施の形態では、第４趾収容部２１ｃと第５趾２１ｄの股部に付勢部２３を設けたが、第２趾Ｆ２と第３趾Ｆ３の間、第３趾Ｆ３と第４趾Ｆ４の間に付勢部を設けることもできる。また、付勢部は１か所だけに設けられるものではなく、複数個所に設けることもできる。
【００７３】
〔第１の変形例〕
また、靴下の形状を、母趾Ｆ１を収容する収容部と、第２趾Ｆ２乃至第４趾Ｆ４を収容する足趾収容部と、第５趾Ｆ５を収容する収容部に分けることも考えられる。この場合、靴下Ｓ２のように、第２趾収容部、第３趾収容部及び第４趾収容部をそれぞれ作る手間を省くことができる。この場合には、付勢部を各収容部の間に少なくとも一つ設けることで、親指が外反母趾若しくは第５趾が内反小趾であった場合には、症状の改善が期待できる。
【００７４】
〔第２の変形例〕
いずれかの足趾間に設けられた付勢部に、例えばワイヤーなどを取付け、隣り合う足趾を拡開する方向に付勢することも考えられる。この場合、縫い代を丸めて縫合された付勢部による付勢力と、ワイヤーが拡開しようとする際の付勢力とが合わさって、より強い力で隣り合う足趾を拡開することができる。その結果、外反母趾や内反小趾などの足趾の変形の改善が期待される。
【００７５】
〔靴下Ｓ１の製造方法〕
本発明に係る靴下Ｓ１の製造方法は、図５に示す手順（ＳＴ１〜ＳＴ４）が含まれる。
工程１；編立て工程（ＳＴ１）
伸縮性のある生地を略円筒形に形成する。これにより、靴下Ｓ１の本体を形成することができる。
【００７６】
工程２；裁断工程（ＳＴ２）
編立て工程ＳＴ１により形成された円筒形状の生地体のつま先部２のうち、母趾Ｆ１が収容される母趾収容部形成領域と、母趾Ｆ１以外の足趾（Ｆ２〜Ｆ５）が収容される足趾収容部形成領域の間に切込みを入れる。これにより、母趾収容部形成領域と足趾収容部形成領域を分けることができる。
【００７７】
工程３；つま先部形成工程（ＳＴ３）
裁断工程ＳＴ２により形成された切込みに沿って、母趾収容部形成領域及び足趾収容部形成領域の先端部分を縫合し、足趾収容部形成領域の母趾収容部形成領域側に位置する足趾収容部縁２２ｂ、母趾収容部形成領域の足趾収容部形成領域側に位置する母趾収容部縁２２ａ、及び母趾収容部形成領域と足趾収容部形成領域との連続した部分である股部２２ｃを裁ち目かがり縫いで縫製して母趾収容部２０及び足趾収容部２１が形成され、母趾収容部２０及び足趾収容部２１を有するつま先部２を形成することができる。なお、つま先部形成工程ＳＴ３は、母趾収容部及び足趾収容部形成工程の一例である。
【００７８】
また、靴下Ｓ１のつま先部２の母趾収容部縁２２ａと足趾収容部縁２２ｂとを約２．０ｃｍ離して設けることもできる。この様にすることで、通常の靴下よりも母趾Ｆ１と第２趾Ｆ２を離間して設けることができ、母趾Ｆ１が外反母趾である場合には、症状の改善が期待される。
【００７９】
工程４；付勢部形成工程（ＳＴ４）
つま先部形成工程ＳＴ３で縫製された股部２２ｃ、及び股部２２ｃから、少なくとも足趾収容部縁２２ｂ及び母趾収容部縁２２ａの股部２２ｃ寄りの一部にかけて、縫い代２２ｄを切れ端側から縫い目側へ丸めて縫合して、母趾収容部形成領域と足趾収容部形成領域を離間させる方向に付勢し、母趾収容部２０内の母趾Ｆ１と足趾収容部２１内の第２趾Ｆ２とを拡開可能になるように、つま先部形成工程ＳＴ３の裁ち目かがり縫いの縫い目の幅よりも狭い縫い目で、裁ち目かがり縫いで縫製して付勢部２２を形成する。
【００８０】
また、靴下Ｓ１の母趾収容部２０のつま先から股部２２ｃまでを約３．５ｃｍの長さに形成することもできる。この様にすることで、通常の靴下よりも長いことから、つま先から母趾と第２趾の股までの長さに個人差があっても、母趾と第２趾の股に付勢部２２を当てることができる。
【００８１】
このようにして作成された靴下Ｓ１を着用することによって、股部２２ｃが母趾Ｆ１と第２趾Ｆ２の間の股に当たり、母趾Ｆ１と第２趾Ｆ２を拡開する方向に付勢するので、母趾Ｆ１と第２趾Ｆ２を拡開させることができる。また、その結果として、母趾Ｆ１が外反母趾である場合、あるいは第５趾が内反小趾である場合には、症状の改善が期待される。
【００８２】
〔変形例〕
付勢部形成工程を母趾収容部及び足趾収容部形成工程よりも先に行う製造方法も考えられる。しかし、先に付勢部を形成すると、付勢部の縁領域のみに裁ち目かがり縫いを行い、そしてこの縁領域にさらに狭い縫い目で裁ち目かがり縫いを行った後、再度つま先部に裁ち目かがり縫いを行う必要があり、作業工程が増えてしまう。よって、先に母趾収容部及び足趾収容部形成工程を行う方が好ましい。
【００８３】
以上のように、本発明に係る靴下及び靴下の製造方法は、隣合う足趾を離間させる方向に付勢して拡開させて、外反母趾又は内反小趾などの足趾の変形に対する症状の改善に寄与する靴下及び靴下の製造方法となっている。
【符号の説明】
【００８４】
２０  母趾収容部
２１  足趾収容部
２１ａ  第２趾収容部
２１ｂ  第３趾収容部
２１ｃ  第４趾収容部
２１ｄ  第５趾収容部
２２  付勢部
２２ａ  母趾収容部縁
２２ｂ  足趾収容部縁
２２ｃ  股部
２２ｄ  縫い代
２３  付勢部
２３ａ  第４趾収容部縁
２３ｂ  第５趾収容部縁
２３ｃ  股部
２３ｄ  縫い代
Ｆ１  母趾
Ｆ２  第２趾
Ｆ３  第３趾
Ｆ４  第４趾
Ｆ５  第５趾
Ｓ１  靴下
ＳＴ１  編立て工程
ＳＴ２  裁断工程
ＳＴ３  つま先部形成工程
ＳＴ４  付勢部形成工程
【図１】
2020090753.tif 000003
【図２】
2020090753.tif 000004
【図３】
2020090753.tif 000005
【図４】
2020090753.tif 000006
【図５】
2020090753.tif 000007